(57)【要約】【課題】  簡易な構成で所謂ゴーストを抑制する。【解決手段】  画像形成の際の静電潜像は、静電潜像は、感光体の回転に伴って、感光体上の回転方向と交差する方向に１走査毎に形成される。この１走査毎に、１走査分の領域に対するトナー非配置部分の大きさの比率（背景面積率）と、ゴーストとして認識される度合い（ゴーストグレード）には、背景面積率が小さいほどゴーストグレードが大きい。そこで、背景面積率に応じて、次の画像形成の際の画像データの補正の強度をこの関係から定めて、画像データを補正する。即ち、画素値が２０％を指示する場合、そのままでは、上記ゴーストにより、３０％のトナー濃度となってしまう場合がある。そこで、このゴーストを加味して、トナー濃度が２０％となるように、元の画像データ即ち２０％をＤ＝−１０で補正し、１０％にする。【選択図】        図４
2006276052.tif 000002
【特許請求の範囲】
【請求項１】
帯電された感光体に画像データに基いて静電潜像を形成し、形成された静電潜像をトナーにより現像し、現像により得られたトナー像を、前記感光体の帯電極性と逆極性の電荷を用いて被転写媒体に転写して画像形成する画像形成装置であって、
前記感光体上でトナーが配置されるトナー配置部分と配置されないトナー非配置部分とを識別する識別手段と、
前記識別手段により識別されたトナー非配置部分に次にトナーが配置される場合、トナーの配置を指示する画像データを補正する補正手段と、
を備えた画像形成装置。
【請求項２】
前記補正手段は、前記トナーの配置を指示する画像データに基いてトナーが配置される部分におけるトナー濃度が所定範囲内となるように、前記画像データを補正することを特徴とする請求項１記載の画像形成装置。
【請求項３】
前記補正手段は、前記識別されたトナー配置部分の大きさとトナー非配置部分の大きさとの関係に基いて、前記画像データを補正することを特徴とする請求項１又は請求項２記載の画像形成装置。
【請求項４】
前記感光体は所定方向に移動し、
前記静電潜像は、前記感光体の所定方向の移動に伴って、前記感光体上の前記所定方向と交差する方向に、１走査毎に形成され、
前記トナー配置部分の大きさ及び前記トナー非配置部分の大きさは、前記１走査毎に定まる
ことを特徴とする請求項３記載の画像形成装置。
【請求項５】
前記補正手段は、
前記トナーの配置を指示する画像データに基いてトナーが配置されると共に前回トナーが配置されなかった部分に対応する画像データを、トナー濃度が減少するように、補正する第１の補正と、
前記トナーの配置を指示する画像データに基いてトナーが配置されると共にトナーが配置された部分に対応する画像データを、トナー濃度が増加するように、補正する第２の補正と、
の少なくとも１つを実行することを特徴とする請求項１乃至請求項４の何れか１項に記載の画像形成装置。
【請求項６】
前記識別手段は、画像データに基いて、前記トナー配置部分と前記トナー非配置部分とを識別することを特徴とする請求項１乃至請求項５の何れか１項に記載の画像形成装置。
【請求項７】
前記識別手段は、トナーの配置を指示する画素データ及びトナー非配置を指示する画素データに基いて前記トナー配置部分と前記トナー非配置部分とを識別することを特徴とする請求項６記載の画像形成装置。
【請求項８】
前記画素データは、トナー濃度を指示し、
前記識別手段は、隣り合う画素データが指示するトナー濃度の変化量に基いて、トナー配置を指示する画素データ及びトナー非配置を指示する画素データを識別することを特徴とする請求項７記載の画像形成装置。
【請求項９】
前記補正手段は、前記画像データを、前記転写の際の単位時間当たりの電荷量、及び、環境条件の少なくとも一方を更に加味して補正することを特徴とする請求項１乃至請求項８の何れか１項に記載の画像形成装置。
【請求項１０】
帯電された感光体に画像データに基いて静電潜像を形成し、形成された静電潜像をトナーにより現像し、現像により得られたトナー像を、前記感光体の帯電極性と逆極性の電荷を用いて被転写媒体に転写して画像形成する画像形成方法であって、
前記感光体上でトナーが配置されるトナー配置部分と配置されないトナー非配置部分とを識別するステップと、
前記識別されたトナー非配置部分に次にトナーが配置される場合、トナーの配置を指示する画像データを補正するステップと、
を備えた画像形成方法。
【請求項１１】
前記補正のステップでは、前記トナーの配置を指示する画像データに基いてトナーが配置される部分のトナー濃度が所定範囲内となるように、前記画像データを補正することを特徴とする請求項１０記載の画像形成方法。
【請求項１２】
前記補正のステップでは、前記識別されたトナー配置部分の大きさとトナー非配置部分の大きさとの関係に基いて、前記画像データを補正することを特徴とする請求項１０又は請求項１１記載の画像形成方法。
【請求項１３】
前記感光体は所定方向に移動し、
前記静電潜像は、前記感光体の所定方向の移動に伴って、前記感光体上の前記所定方向と交差する方向に、１走査毎に形成され、
前記トナー配置部分の大きさ及び前記トナー非配置部分の大きさは、前記１走査毎に定まる
ことを特徴とする請求項１１記載の画像形成方法。
【請求項１４】
前記補正のステップでは、
前記トナーの配置を指示する画像データに基いてトナーが配置されると共に前回トナーが配置されなかった部分に対応する画像データを、トナー濃度が減少するように、補正する第１の補正と、
前記トナーの配置を指示する画像データに基いてトナーが配置されると共に前回トナーが配置された部分に対応する画像データを、トナー濃度が増加するように、補正する第２の補正と、
の少なくとも１つを実行することを特徴とする請求項１０至請求項１３の何れか１項に記載の画像形成方法。
【請求項１５】
前記識別のステップでは、画像データに基いて、前記トナー配置部分と前記トナー非配置部分とを識別することを特徴とする請求項１０乃至請求項１４の何れか１項に記載の画像形成方法。
【請求項１６】
前記識別のステップでは、トナー配置を指示する画素データ及びトナー非配置を指示する画素データに基いて前記トナー配置部分と前記トナー非配置部分とを識別することを特徴とする請求項１５記載の画像形成方法。
【請求項１７】
前記画素データは、トナー濃度を指示し、
前記識別のステップでは、隣り合う画素データが指示するトナー濃度の変化量に基いて、トナー配置を指示する画素データ及びトナー非配置を指示する画素データを識別することを特徴とする請求項１６記載の画像形成方法。
【請求項１８】
前記補正のステップでは、前記画像データを、前記転写の際の単位時間当たりの電荷量、及び、環境条件の少なくとも一方を更に加味して補正することを特徴とする請求項１０乃至請求項１７の何れか１項に記載の画像形成方法。
【発明の詳細な説明】
【技術分野】
【０００１】
本発明は、画像形成装置及び方法にかかり、より詳細には、帯電された感光体に画像データに基いて静電潜像を形成し、形成された静電潜像をトナーにより現像し、現像により得られたトナー像を、前記感光体の帯電極性と逆極性の電荷を用いて被転写媒体に転写して画像形成する画像形成装置及び方法に関する。
【背景技術】
【０００２】
従来、画像形成装置は、感光体ドラム上に順次形成されるイエロー、マゼンタ、シアン、ブラックの４色のトナー像を、中間転写ベルト上に一旦多重に一次転写し、当該中間転写ベルト上に多重に転写された複数色のトナー像を転写用紙上に一括して二次転写することにより、カラーの画像を形成する。なお、上記一次転写後、感光体ドラムの表面は、クリーニング手段によって残留トナー等が除去された後、除電ランプ等からなる除電手段によって一様に露光することで除電される。
【０００３】
このような画像形成装置の場合、中間転写ベルトは抵抗体からなり、感光体ドラム上に形成されたトナー像を中間転写ベルト上に一次転写する際に、転写電流が抵抗体である中間転写ベルトを介して、感光体ドラムのトナー像が担持されていない部分に流れ込む。このように、感光体ドラムのトナー像が担持されていない部分に転写電流が流れ込むと、感光体ドラムにおけるトナー像が担持されていない部分といる部分とにおいて電位むらが発生する。一方、上記のように、上記一次転写後、上記感光体ドラムの表面が一様に除電されるので、電位むらが維持され、このまま次の画像形成のため再帯電され、前回の画像が“ゴースト”と呼ばれる転写履歴として次の画像に現れてしまうという問題があった。
【０００４】
このようなゴーストを抑制するため、感光体ドラムの表面を一様に除電するイレーズランプの他に、転写部より感光体ドラム移動方向の下流側であって、イレーズランプの感光体ドラム移動方向の上流側に配設された、感光体ドラムの表面に対して所定の放電を施すことにより除電する除電コロトロンを備え、除電コロトロンは、感光体ドラムの帯電極性と同極性であるマイナス極性のＤＣ成分を有する放電を行うカラープリンタが提案されている（特許文献１参照）。
【０００５】
このカラープリンタでは、除電コロトロンによって感光体ドラムの帯電極性と同極性であるマイナス極性のＤＣ成分を有する放電を行うことにより、当該感光体ドラムの表面を全体的にマイナス極性にシフトさせる。その後、イレーズランプによって一様な露光を施して除電することによって、感光体ドラム表面の電荷をすべて除電する。これにより、感光体ドラムの表面の電位差を無くすことができ、上記ゴーストが次の画像に現れることを抑制している。
【０００６】
なお、上記ゴーストを抑制するため、その他、上記のように新たな除電手段を備えた装置が種々提案されいる（特許文献２、３参照）。
【特許文献１】特開２０００‐２６７５３０号公報
【特許文献２】特開２０００‐７５６７７号公報
【特許文献３】特開２００３‐７６０７６号公報
【発明の開示】
【発明が解決しようとする課題】
【０００７】
しかしながら、上記種々の発明では、新たに除電装置を必要とし装置構成が複雑となる。
【０００８】
本発明は、上記事実に鑑み成されたもので、簡易な構成で上記ゴーストを抑制することの可能な画像形成装置及び方法を提供することを目的とする。
【課題を解決するための手段】
【０００９】
上記目的を達成するために請求項１に記載の発明の画像形成装置は、帯電された感光体に画像データに基いて静電潜像を形成し、形成された静電潜像をトナーにより現像し、現像により得られたトナー像を、前記感光体の帯電極性と逆極性の電荷を用いて被転写媒体に転写して画像形成する画像形成装置であって、前記感光体上でトナーが配置されるトナー配置部分と配置されないトナー非配置部分とを識別する識別手段と、前記識別手段により識別されたトナー非配置部分に次にトナーが配置される場合、トナーの配置を指示する画像データを補正する補正手段と、を備えている。
【００１０】
即ち、本発明の画像形成装置は、帯電された感光体に画像データに基いて静電潜像を形成し、形成された静電潜像をトナーにより現像し、現像により得られたトナー像を、前記感光体の帯電極性と逆極性の電荷を用いて被転写媒体に転写して画像形成する画像形成装置である。
【００１１】
上記のように、現像により得られたトナー像を、静電潜像と逆極性の電荷を用いて被転写媒体に転写する場合、感光体上でトナーが配置されるトナー配置部分には、トナーが配置されないトナー非配置部分と比べると、より多くの電荷（逆極性の電荷）が感光体に流れ込み、電位むらが発生する。このまま、除電、新たな帯電を行うと、次の画像形成の際、以前の画像形成の際のトナー非配置部分は、帯電量が少なく光走査装置により形成する静電潜像の電荷量が少なくなるため、トナーがより多く配置されトナー濃度が多くなり、上記ゴーストが発生する。
【００１２】
そこで、本発明では、次の画像形成の際、以前の画像形成の際のトナー非配置部分のトナー濃度が多くなることに鑑み、上記ゴーストを抑制するため、当該トナー非配置部分のトナー濃度が低くなるように、画像データを補正するものである。
【００１３】
即ち、本発明の識別手段は、前記感光体上でトナーが配置されるトナー配置部分と配置されないトナー非配置部分とを識別する。
【００１４】
ここで、識別手段として、感光体上のトナー濃度を測定する濃度計を用いて、トナー配置部分とトナー非配置部分とを識別するようにしてもよい。しかし、濃度計を新たに備えると装置構成が複雑となる。そこで、具体的には、例えば、請求項６のように、識別手段は、画像データに基いて、トナー配置部分とトナー非配置部分とを識別する。この場合、請求項７のように、識別手段は、トナー配置を指示する画素データ及びトナー非配置を指示する画素データに基いて前記トナー配置部分と前記トナー非配置部分とを識別するようにしてもよい。また、請求項８のように、前記画素データは、トナー濃度を指示し、識別手段は、隣り合う画素データが指示するトナー濃度の変化量に基いて、トナー配置を指示する画素データ及びトナー非配置を指示する画素データを識別するようにしてもよい。
【００１５】
補正手段は、識別手段により識別されたトナー非配置部分に次にトナーが配置される場合、第２の画像形成の画像データを補正する。
【００１６】
例えば、請求項２のように、補正手段は、前記トナーの配置を指示する画像データに基いてトナーが配置される部分におけるトナー濃度が所定範囲内となるように、画像データを補正する。
【００１７】
また、請求項３のように、補正手段は、識別されたトナー配置部分の大きさとトナー非配置部分の大きさとの関係に基いて、画像データを補正する。
【００１８】
ここで、感光体が所定方向に移動し、静電潜像が、感光体の所定方向の移動に伴って、感光体上の所定方向と交差する方向に、１走査毎に形成される場合、請求項４のように、トナー配置部分の大きさ及びトナー非配置部分の大きさは、１走査毎に定まる。
【００１９】
より詳細には、請求項５のように、補正手段は、第１の補正と第２の補正との少なくとも一方を行う。
【００２０】
第１の補正は、前記トナーの配置を指示する画像データに基いてトナーが配置されると共に前回トナーが配置されなかった部分に対応する画像データを、トナー濃度が減少するように、補正するものである。
【００２１】
第２の補正は、前記トナーの配置を指示する画像データに基いてトナーが配置されると共に前回トナーが配置された部分に対応する画像データを、トナー濃度が増加するように、補正するものである。
【００２２】
上記のように、第１の補正と第２の補正との少なくとも一方を行うのであるので、第１の補正及び第２の補正双方を行うようにしてもよい。
【００２３】
そして、請求項９のように、補正手段は、画像データを、転写の際の単位時間当たりの電荷量、及び、環境条件の少なくとも一方を更に加味して補正する。
【００２４】
以上説明したように、感光体上のトナー配置部分とトナー非配置部分とを識別し、トナー非配置部分に次にトナーが配置される場合、トナーの配置を指示する画像データを補正するので、トナーの配置を指示する画像データを、上記ゴーストが抑制されるように制御することができる。
【００２５】
このように、画像データを処理することによりゴーストを抑制することができるので、簡易な構成で上記ゴーストを抑制することができる。
【００２６】
請求項１０〜１８記載の発明の作用、効果は、前述した請求項１〜９記載の発明と同様であるので、その説明を省略する。
【発明の効果】
【００２７】
以上説明したように本発明は、画像データを処理することによりゴーストを抑制することができるので、簡易な構成で上記ゴーストを抑制することができる。
【発明を実施するための最良の形態】
【００２８】
以下、図面を参照して、本発明の実施の形態を詳細に説明する。
【００２９】
図１に示すように、本実施の形態の画像形成装置は、感光体１０を備えている。この感光体１０のまわりには、感光体１０を一様に負に帯電する帯電装置１２、帯電装置１２により帯電された感光体１０に画像データに基いて静電潜像を形成する光走査装置１４、光走査装置１４により感光体１０に形成された静電潜像をトナーにより現像する現像装置１６を備えている。また、この画像形成装置は、トナーにより現像して得られたトナー像を感光体１０の帯電極性（負）と逆極性（正）の電荷を用いて非転写媒体２０に転写する転写ロール２２、トナー像が非転写媒体２０に転写された後、感光体１０に残留するトナーをクリーニングするクリーニング装置１８、を備えている。
【００３０】
図２に示すように、光走査装置１４には、画像読取り装置やパーソナルコンピュータからの画像データ（印刷データ）を入力し、後述する補正をした後、補正後の画像データを光走査装置１４に出力する制御装置３０が接続されている。なお、制御装置３０は、ＣＰＵ、ＲＯＭ、ＲＡＭ、及び記憶装置を備えている。
【００３１】
図３には、トナー像が非転写媒体２０に転写される様子を示した図である。図３に示すように、転写ロール２２からは、感光体１０（静電潜像及びトナー）の帯電極性（負）と逆極性（正）の電荷を用いて感光体１０配置されたトナーを非転写媒体２０に転写する。この時、感光体１０上でトナーが配置されるトナー配置部分４２と、トナーが配置されないトナー非配置部分４４とでは、転写ロール２２からの電荷感光体１０に流れる量が異なる。従って、トナー像を非転写媒体２０に転写した後では、もとトナー配置部分と、もとトナー非配置部分とでは感光体１０に電位むらが発生する。これにより、前述したゴーストが発生する。
【００３２】
ところで、上記のように、静電潜像は、感光体の回転（所定方向の移動（副走査））に伴って、感光体上の回転方向と交差する方向に１走査毎に形成される。本発明者は、この１走査毎に、１走査分の領域に対するトナー非配置部分の大きさの比率（背景面積率）と、ゴーストの発生度合いを測定してみた。すると、図４に示すように、背景面積率が小さいほど（但し、０〜５％を除く）、ゴーストとして認識される度合い（ゴーストグレード）が大きいことが分かった。そこで、本実施の形態では、背景面積率に応じて、次の画像形成の際の画像データの補正の強度（図５参照）を、図４に示す関係と対応させている。なお、背景面積率が０％の場合、ゴーストは発生せず、また、５％程度くらいまでは、トナーが静電気的に飛び散るため、背景とならない場合がある。このため、背景面積率が０〜５％までは、これを背景とせずに、補正の強度を０としている。
【００３３】
次に、本実施の形態の作用を説明する。
【００３４】
まず、画像形成処理を説明する。感光体１０の感光層１０Ａの表面は、帯電装置１２により一様に負に帯電される。一様に帯電された感光体１０に、光走査装置１４により、後述するように補正された画像データに基いて静電潜像を形成される。静電潜像がトナーで現像され、トナー像が形成される。トナー像は転写ロール２２により被転写媒体に転写される。その後、クリーニング装置１８により感光体１０の表面がクリーニングされる。
【００３５】
画像形成する場合、図６に示す補正データ取得処理プログラムを実行する。即ち、ステップ５０で、各走査を識別する変数Ｓを０に初期化し、ステップ５２で、変数Ｓを１インクリメントし、ステップ５４で、走査（主走査方向）Ｓにおける背景面積率Ｈを算出する。
【００３６】
次に、この背景面積率Ｈの算出処理（ステップ５４）を、図７に示すフローチャートを参照して詳細に説明する。
【００３７】
図７のステップ７２で、本処理で用いる各変数などを０に初期化する。即ち、当該走査Ｓにおける各画素を識別する変数ｇ、トナーが配置されない画素の個数をカウントする変数Ｋ、上記背景面積率Ｈ、及び、トナー配置部分であることを示すフラグＦを０に初期化する。
【００３８】
ステップ７４で、変数ｇを１インクリメントし、ステップ７６で、変数ｇで識別される画素の画素値Ｇgから変数ｇ-１により識別される画素の一つ前の画素の画素値Ｇg-1を減算して、ΔGとする。
【００３９】
ステップ７８で、ΔＧが、しきい値Ｇth以上か否かを判断する。
【００４０】
ここで、Ｇthは、トナーを配置しないことを指示する画素値からトナーを配置する指示を与える画素の画素値に変ったことを判断するための値である。
【００４１】
ΔＧがＧth以上であると判断された場合には、当該変数ｇで識別される画素は、トナーを配置していない画素の隣のトナーを配置する画素であると判断することができる。即ち、例えば、図８に示すように、トナーを配置しない画素（ｇ＝１００で識別される画素の画素値Ｇ100）の隣の変数ｇ＝１０１で識別される画素であると判断することができる。この場合、ステップ８０で、フラグＦを１にセットし、ステップ８２で、変数ｇが、当該走査Ｓの走査線上の全ての総画素数ｇ0に等しいか否かを判断し、変数ｇが総画素数ｇ0に等しくないと判断された場合には、ステップ７４に戻って、以上の処理を実行する。
【００４２】
一方、ステップ７８で、ΔＧがＧth未満と判断された場合には、ステップ８４で，ΔＧが−Ｇth（しきい値）以下か否かを判断する。なお、−Ｇth（しきい値）は、トナーを配置することを指示する画素値からトナーを配置しない指示を与える画素の画素値に変ったことを判断するための値である。
【００４３】
ステップ８４で、ΔＧが、−Ｇth以下と判断された場合には、トナー配置部分からトナー非配置部分となったと判断され、ステップ８６で、Ｆを０に初期化し、ステップ８２に進む。
【００４４】
一方、ステップ８４で、ΔＧが−Ｇthより大きいと判断された場合には、ステップ８８で、Ｆが１にセットされているか否かを判断し、１にセットされていると判断された場合には、ステップ８８で、Ｆが１にセットされているか否かを判断する。
【００４５】
Ｆが１にセットされている場合には、ｇで識別される画素はトナーを配置することを指示する画素であり、ステップ８２に進む。
【００４６】
Ｆが１にセットされていないと判断された場合には、ｇで識別される画素はトナーを配置しないことを指示する画素であり、ステップ９０で、非画像エリアとしてｇの値を記憶し、ステップ９２で、非画像エリアの画素数（トナーが配置されない画素数）をカウントするため、Ｋを１インクリメントし、ステップ８２に進む。
【００４７】
ステップ８２で、変数ｇが総画素数ｇ0に等しいと判断された場合には、当該走査Ｓの走査線上における領域の非画像エリアの画素数をカウントしたので、ステップ９４で、背景面積率Ｈ（＝Ｋ／ｇ0）を算出する。
【００４８】
以上により背景面積率Ｈが算出（図６のステップ５４が実行）され、図６の次のステップ５６で、図５に示す関係を用いて、ステップ５４で算出された背景面積率Ｈに対応する補正データＤを取得し、ステップ５８で、走査Ｓに対応して補正データＤを記憶する。ステップ６０で、変数Ｓが走査数Ｓ０に等しいか否かを判断し、変数Ｓが走査数Ｓ０に等しくないと判断された場合には、ステップ５２に戻り、以上の処理（ステップ５２〜６０）を実行する。変数Ｓが走査数Ｓ０に等しいと判断された場合には、本プログラムを終了する。
【００４９】
次に、画像形成（第１の画像形成）の後の次の画像形成（第２の画像形成）の画像データを補正する画像データ補正処理プログラム（図９参照）をスタートする。
【００５０】
なお、本実施の形態では、説明の簡単のため、第１の画像形成の際の各走査Ｓ（感光体の副走査位置）と、第２の画像形成の際の各走査Ｓ（感光体の副走査位置）とが同一位置の場合を例にとり説明する。
【００５１】
ステップ１０２で、変数Ｓを０に初期化し、ステップ１０４で、変数Ｓを１インクリメントし、ステップ１０６で、変数Ｓに対応して記憶された補正データＤを取得し、ステップ１０８で、変数ｇを０に初期化し、ステップ１１０で、変数ｇを１インクリメントし、ステップ１１２で、変数ｇにより識別される画素の画素値Ｇを取得する。
【００５２】
ステップ１１４で、上記取得された画素値Ｇが、トナーを配置することを示す画素値Ｇkより大きいか否かを判断し、画素値ＧがＧk以上であると判断された場合には、ステップ１１６で、前述したステップ９０（図７）において非画像エリアとして記憶されたｇの値に基いて、変数ｇは、第１の画像形成における非画像エリア内の画素を識別するか否かを判断し、変数ｇが非画像エリア内の画素を識別すると判断された場合には、ステップ１１８で、画素値Ｇを補正データＤで補正する。即ち、例えば、画素値が２０％を指示する場合には、そのままでは、上記ゴーストにより、３０％のトナー濃度となってしまう場合がある。そこで、このゴーストを加味して、トナー濃度が２０％となるように、元の画像データ即ち２０％をＤ＝−１０で補正し、１０％にする。
【００５３】
ステップ１２０で、変数ｇが総画素数ｇ0に等しいか否かを判断し、変数ｇが総画素数Ｇ０に等しくないと判断された場合には、ステップ１１０に戻り、以上の処理（ステップ１１０〜１２０）を実行する。
【００５４】
変数ｇが総画素数ｇ0に等しい場合、当該走査Ｓにおける全ての画素の画素データについて処理したので、ステップ１２２で、変数Ｓが総走査数Ｓ０に等しいか否かを判断し、変数Ｓが総層走査数Ｓ０に等しくないと判断された場合には、ステップ１０４に進み、以上の処理（ステップ１０４〜ステップ１２２）を実行する。一方、変数Ｓが走査数Ｓ０に等しい場合にも、画像データについて補正処理を実行したので、本処理を終了する。
【００５５】
以上説明したように本実施の形態では、ゴースト低減にあたり、転写電流を低減する必要がないため所望のトナー転移量が確保できる。また、新たな除電手段を加えないため、簡易な構成で上記ゴーストを抑制することができると共に、新たにオゾンが発生することはない。画像面積率の測定や画像データの補正は、既存装置の仕様を変更するだけで使用でき、コストが大幅にアップすることなく、ゴーストを低減することができる。
【００５６】
本実施の形態では、転写ローラとしては接触型を用いている。これは次の理由からである。ゴーストは、特に帯電に必要な電流値が小さい接触型帯電器を有するときに発生しやすい。非接触型帯電器を使用した場合、接触型に比べ帯電の際に電流が多く流れるため、非画像エリアに保持された電荷は中和されゴーストは低減しやすい。
【００５７】
以上説明した実施の形態では、背景面積率のみにより画像データを補正するようにしているが、本発明はこれに限定されるものではなく、転写電流及び環境条件の少なくとも一方を更に加味して補正するようにしてもよい。
【００５８】
即ち、表１に示すように、背景面積率が一定（３５％）、温度が一定（２５°Ｃ）、湿度が一定（５０％）の場合、転写電流が、２０μＡ、２５μＡ、３０μＡのように大きくなるほど、転写ローラからの感光体への帯電量が多くなり、ゴーストの認識率も高くなる。
【００５９】
【表１】
2006276052.tif 000003
【００６０】
また、表２に示すように、背景面積率が一定（３５％）、転写電流が一定（２５μＡ）の場合、環境条件（温度、湿度）が、（１５°Ｃ、３０％）、（２３°Ｃ、５０％）、（３０°Ｃ、８０％）のように高くなるほど、ゴーストの認識率も高くなる。
【００６１】
【表２】
2006276052.tif 000004
【００６２】
そこで、画像データを、転写電流及び環境条件の少なくとも一方を更に加味して補正すると、よりゴーストの認識率を抑えることができる。
【００６３】
以上説明した実施の形態では、第１の画像形成の際の各走査Ｓ（感光体の副走査位置）と、第２の画像形成の際の各走査Ｓ（感光体の副走査位置）とが同一位置の場合を例にとり説明したが、本発明はこれに限定されるものではなく、感光体の各走査（副走査）位置を基準に、背景面積率Ｈを求め、補正データＤを定め、次の感光体の各走査（副走査）位置の画像データを補正データＤで補正するようにしてもよい。
【００６４】
また、前述した実施の形態では、トナーの配置を指示する画像データに基いてトナーが配置されると共に前回トナーが配置されなかった部分に対応する画像データを、トナー濃度が減少するように、補正（第１の補正）をするようにしているが、本発明はこれに限定されるものではなく、トナーの配置を指示する画像データに基いてトナーが配置されると共に前回トナーが配置された部分に対応する画像データを、トナー濃度が増加するように、補正（第２の補正）するようにしてもよい。更に、第１の補正と第２の補正と双方を行うようにしてもよい。
【００６５】
更に、前述した実施の形態では、主走査方向における背景面積率を求めて補正データを定めるようにしたが、本発明はこれに限定されるものではなく、主走査における各画素毎に副走査方向における背景面積率を求めると共に補正データを定め、主走査の各画素の画像データを補正データで補正するようにしてもよい。
【図面の簡単な説明】
【００６６】
【図１】画像形成装置のブロック図である。
【図２】画像形成装置のブロック図である。
【図３】トナーを転写する際の電位むら及びゴーストの発生原因を示す図である。
【図４】背景面積率とゴーストグレードの関係を示す図である。
【図５】背景面積率と補正データの強度との関係を示すずである。
【図６】補正データ取得プログラムを示すフローチャートである。
【図７】図６のステップ５４のサブプログラムを示すフローチャートである。
【図８】走査線上のトナーの配置状態を示す図である。
【図９】画像データ補正処理プログラムを示すフローチャートである。
【符号の説明】
【００６７】
１０    感光体
１２    帯電装置
１４    光走査装置
１６    現像装置
２０    非転写媒体
２２    転写ロール
１８    クリーニング装置
３０    制御装置
【図１】
2006276052.tif 000005
【図２】
2006276052.tif 000006
【図３】
2006276052.tif 000007
【図４】
2006276052.tif 000008
【図５】
2006276052.tif 000009
【図６】
2006276052.tif 000010
【図７】
2006276052.tif 000011
【図８】
2006276052.tif 000012
【図９】
2006276052.tif 000013